(57)【特許請求の範囲】
【請求項１】
複数ページの画像が面付けされて印刷された１枚の用紙に対して、冊子となった際に小口となる端部を、冊子を構成する各葉毎に所定の長さだけ順次長くなるように断裁する第１の断裁手段と、
前記第１の断裁手段により断裁された用紙の用紙長手方向中心線の所定の指定箇所に接着剤を塗布する接着剤塗布手段と、
前記接着剤塗布手段により接着剤が塗布された用紙を、冊子の先頭葉となる部分とは逆の部分から用紙長手方向に複数回折り曲げる巻き折り加工を行い、巻き折り加工の終了後に、用紙長手方向に対して直行する方向に２つ折りする２つ折り加工を行う折曲手段と、
前記折曲手段により巻き折り加工および２つ折り加工が行われた後の用紙を、２つ折りされた折部を背として天地の２箇所を断裁する第２の断裁手段と、
を備えた冊子作成装置。
【請求項２】
２ｍ＋２枚葉構成の冊子を作成するための冊子作成装置であって、
複数ページの画像が面付けされて印刷された１枚の用紙に対して、冊子の先頭葉となる領域については、用紙長手方向中心線から用紙短手方向端部に向かって距離Ｌの位置よりも外側になる領域を断裁し、冊子の第２葉となる領域については、用紙長手方向中心線から用紙短手方向端部に向かって距離Ｌ＋αの位置よりも外側になる領域を断裁し、同様にして、冊子の第ｎ葉（ｎ≦２ｍ＋２）となる領域については、用紙長手方向中心線から用紙短手方向端部に向かって距離Ｌ＋（ｎ−１）αの位置よりも外側になる領域を断裁することにより、冊子となった際に小口となる端部が、各葉毎に所定の長さαだけ順次長くなるように断裁する第１の断裁手段と、
前記第１の断裁手段により断裁された用紙の用紙長手方向中心線の所定の指定箇所に接着剤を塗布する接着剤塗布手段と、
前記接着剤塗布手段により接着剤が塗布された用紙を、冊子の先頭葉となる部分とは逆の部分から用紙長手方向にｍ回折り曲げる巻き折り加工を行い、巻き折り加工の終了後に、用紙長手方向に対して直行する方向に２つ折りする２つ折り加工を行う折曲手段と、
前記折曲手段により巻き折り加工および２つ折り加工が行われた後の用紙を、２つ折りされた折部を背として天地の２箇所を断裁する第２の断裁手段と、
を備えた冊子作成装置。
【請求項３】
先頭ページに印刷しようとする画像データの幅をＬとして、用紙の中心から端部までの距離とＬとの差を、冊子を構成する葉の数である２ｍ＋２により除することよりαの長さが算出される請求項２記載の冊子作成装置。
【請求項４】
６枚葉構成の冊子を作成するための冊子作成装置であって、
複数ページの画像が面付けされて印刷された１枚の用紙に対して、用紙長手方向中心線に接着剤を塗布する前に、冊子の先頭葉となる領域については、用紙長手方向中心線から用紙短手方向端部に向かって距離Ｌの位置よりも外側になる領域を断裁し、冊子の第２葉となる領域については、用紙長手方向中心線から用紙短手方向端部に向かって距離Ｌ＋αの位置よりも外側になる領域を断裁し、冊子の第３葉となる領域については、用紙長手方向中心線から用紙短手方向端部に向かって距離Ｌ＋２αの位置よりも外側になる領域を断裁し、冊子の第４葉となる領域については、用紙長手方向中心線から用紙短手方向端部に向かって距離Ｌ＋３αの位置よりも外側になる領域を断裁し、冊子の第５葉となる領域については、用紙長手方向中心線から用紙短手方向端部に向かって距離Ｌ＋４αの位置よりも外側になる領域を断裁し、冊子の第６葉となる領域については、用紙長手方向中心線から用紙短手方向端部に向かって距離Ｌ＋５αの位置よりも外側になる領域を断裁することにより、冊子となった際に小口となる端部が、各葉毎に所定の長さαだけ順次長くなるように断裁する第１の断裁手段と、
前記第１の断裁手段により断裁された用紙の用紙長手方向中心線の所定の指定箇所に接着剤を塗布する接着剤塗布手段と、
前記接着剤塗布手段により接着剤が塗布された用紙を、冊子の先頭葉となる部分とは逆の部分から用紙長手方向に２回折り曲げる巻き折り加工を行い、巻き折り加工の終了後に、用紙長手方向に対して直行する方向に２つ折りする２つ折り加工を行う折曲手段と、
前記折曲手段により巻き折り加工および２つ折り加工が行われた後の用紙を、２つ折りされた折部を背として天地の２箇所を断裁する第２の断裁手段と、
を備えた冊子作成装置。
【発明の詳細な説明】
【技術分野】
【０００１】
本発明は、冊子作成装置に関する。
【背景技術】
【０００２】
特許文献１には、階段状の段差部を有するとともに複数枚葉の用紙が積層された冊子状印刷物を、情報が予め記録された２種類の連続紙から作成することが開示されている。
【先行技術文献】
【特許文献】
【０００３】
【特許文献１】特許第４８０３４８１号公報
【発明の概要】
【発明が解決しようとする課題】
【０００４】
本発明の目的は、小口に段差形状（階段状）の見出しが形成された冊子を、複数ページの画像が面付けされて印刷された１枚の用紙から作成することが可能な冊子作成装置を提供することである。
【課題を解決するための手段】
【０００５】
請求項１に係る本発明は、複数ページの画像が面付けされて印刷された１枚の用紙に対して、冊子となった際に小口となる端部を、冊子を構成する各葉毎に所定の長さだけ順次長くなるように断裁する第１の断裁手段と、
前記第１の断裁手段により断裁された用紙の用紙長手方向中心線の所定の指定箇所に接着剤を塗布する接着剤塗布手段と、
前記接着剤塗布手段により接着剤が塗布された用紙を、冊子の先頭葉となる部分とは逆の部分から用紙長手方向に複数回折り曲げる巻き折り加工を行い、巻き折り加工の終了後に、用紙長手方向に対して直行する方向に２つ折りする２つ折り加工を行う折曲手段と、
前記折曲手段により巻き折り加工および２つ折り加工が行われた後の用紙を、２つ折りされた折部を背として天地の２箇所を断裁する第２の断裁手段とを備えた冊子作成装置である。
【０００６】
請求項２に係る本発明は、２ｍ＋２枚葉構成の冊子を作成するための冊子作成装置であって、
複数ページの画像が面付けされて印刷された１枚の用紙に対して、冊子の先頭葉となる領域については、用紙長手方向中心線から用紙短手方向端部に向かって距離Ｌの位置よりも外側になる領域を断裁し、冊子の第２葉となる領域については、用紙長手方向中心線から用紙短手方向端部に向かって距離Ｌ＋αの位置よりも外側になる領域を断裁し、同様にして、冊子の第ｎ葉（ｎ≦２ｍ＋２）となる領域については、用紙長手方向中心線から用紙短手方向端部に向かって距離Ｌ＋（ｎ−１）αの位置よりも外側になる領域を断裁することにより、冊子となった際に小口となる端部が、各葉毎に所定の長さαだけ順次長くなるように断裁する第１の断裁手段と、
前記第１の断裁手段により断裁された用紙の用紙長手方向中心線の所定の指定箇所に接着剤を塗布する接着剤塗布手段と、
前記接着剤塗布手段により接着剤が塗布された用紙を、冊子の先頭葉となる部分とは逆の部分から用紙長手方向にｍ回折り曲げる巻き折り加工を行い、巻き折り加工の終了後に、用紙長手方向に対して直行する方向に２つ折りする２つ折り加工を行う折曲手段と、
前記折曲手段により巻き折り加工および２つ折り加工が行われた後の用紙を、２つ折りされた折部を背として天地の２箇所を断裁する第２の断裁手段とを備えた冊子作成装置である。
【０００７】
請求項３に係る本発明は、先頭ページに印刷しようとする画像データの幅をＬとして、用紙の中心から端部までの距離とＬとの差を、冊子を構成する葉の数である２ｍ＋２により除することよりαの長さが算出される請求項２記載の冊子作成装置である。
【０００８】
請求項４に係る本発明は、６枚葉構成の冊子を作成するための冊子作成装置であって、
複数ページの画像が面付けされて印刷された１枚の用紙に対して、用紙長手方向中心線に接着剤を塗布する前に、冊子の先頭葉となる領域については、用紙長手方向中心線から用紙短手方向端部に向かって距離Ｌの位置よりも外側になる領域を断裁し、冊子の第２葉となる領域については、用紙長手方向中心線から用紙短手方向端部に向かって距離Ｌ＋αの位置よりも外側になる領域を断裁し、冊子の第３葉となる領域については、用紙長手方向中心線から用紙短手方向端部に向かって距離Ｌ＋２αの位置よりも外側になる領域を断裁し、冊子の第４葉となる領域については、用紙長手方向中心線から用紙短手方向端部に向かって距離Ｌ＋３αの位置よりも外側になる領域を断裁し、冊子の第５葉となる領域については、用紙長手方向中心線から用紙短手方向端部に向かって距離Ｌ＋４αの位置よりも外側になる領域を断裁し、冊子の第６葉となる領域については、用紙長手方向中心線から用紙短手方向端部に向かって距離Ｌ＋５αの位置よりも外側になる領域を断裁することにより、冊子となった際に小口となる端部が、各葉毎に所定の長さαだけ順次長くなるように断裁する第１の断裁手段と、
前記第１の断裁手段により断裁された用紙の用紙長手方向中心線の所定の指定箇所に接着剤を塗布する接着剤塗布手段と、
前記接着剤塗布手段により接着剤が塗布された用紙を、冊子の先頭葉となる部分とは逆の部分から用紙長手方向に２回折り曲げる巻き折り加工を行い、巻き折り加工の終了後に、用紙長手方向に対して直行する方向に２つ折りする２つ折り加工を行う折曲手段と、
前記折曲手段により巻き折り加工および２つ折り加工が行われた後の用紙を、２つ折りされた折部を背として天地の２箇所を断裁する第２の断裁手段とを備えた冊子作成装置である。
【発明の効果】
【０００９】
請求項１に係る本発明によれば、小口に段差形状（階段状）の見出しが形成された冊子を、複数ページの画像が面付けされて印刷された１枚の用紙から作成することが可能な冊子作成装置を提供することができる。
【００１０】
請求項２に係る本発明によれば、小口に段差形状（階段状）の見出しが形成された２ｍ＋２枚葉構成の冊子を、複数ページの画像が面付けされて印刷された１枚の用紙から作成することが可能な冊子作成装置を提供することができる。
【００１１】
請求項３に係る本発明によれば、請求項２に係る本発明により得られる効果に加えて、先頭ページの画像データの印刷範囲が確保されるような見出しの幅αを算出することが可能な冊子作成装置を提供することができる。
【００１２】
請求項４に係る本発明によれば、小口に段差形状（階段状）の見出しが形成された６枚葉構成の冊子を、複数ページの画像が面付けされて印刷された１枚の用紙から作成することが可能な冊子作成装置を提供することができる。
【図面の簡単な説明】
【００１３】
【図１】本発明の一実施形態の冊子作成システムのシステム構成を示す図である。
【図２】端末装置２０において生成される、印刷シート４０を印刷するための印刷データのレイアウト構成を示す図である。
【図３】本発明の一実施形態の冊子作成システムにより冊子を作成する際の処理を説明するためのフローチャートである。
【図４】本発明の一実施形態の冊子作成方法における小口断裁処理を説明するための図である。
【図５】小口断裁処理後の印刷シート４０の状態を示す図である。
【図６】本発明の一実施形態の冊子作成方法における接着剤塗布処理および折り加工処理を説明するための図である。
【図７】本発明の一実施形態の冊子作成方法における折り加工処理を説明するための図である。
【図８】本発明の一実施形態の冊子作成方法における折り加工処理を説明するための図である。
【図９】折り加工処理後の加工中の状態の印刷シート４０を示す図である。
【図１０】本発明の一実施形態の冊子作成方法における天地断裁処理を説明するための図である。
【図１１】本発明の一実施形態における冊子作成装置５０により作成された冊子の外観を示す図である。
【図１２】本発明の一実施形態における冊子作成装置５０により作成された冊子の段差形状（階段状）の見出しの様子を説明するための図である。
【図１３】図１に示した冊子加工装置５０の構成を説明するためのブロック図である。
【図１４】８枚葉（１６ページ）構成の冊子を作成する際の各ページの画像の面付け配置のレイアウト構成を示す図である。
【００１４】
次に、本発明の実施の形態について図面を参照して詳細に説明する。
【００１５】
図１は本発明の一実施形態の冊子作成システムの構成を示すブロック図である。
【００１６】
本発明の一実施形態の冊子作成システムは、図１に示されるように、ネットワーク３０により相互に接続された印刷装置１０、端末装置２０と、冊子作成装置５０とにより構成される。端末装置２０は、印刷データを生成して、ネットワーク３０経由にて印刷装置１０に対して送信する。印刷装置１０では、端末装置２０から送信された印刷データを受け付けて、受け付けた印刷データを用紙上に出力することにより印刷シート４０を生成する。
【００１７】
印刷装置１０は、電子写真方式によるデジタル印刷を行う装置であり、Ｂ２サイズ（７２８ｍｍ×５１５ｍｍ）近辺の用紙が印刷できる機能を備えている。
【００１８】
そして、印刷装置１０により生成された印刷シート４０が冊子作成装置５０において断裁処理、接着剤塗布処理、折り処理等が行われることにより、冊子６０が生成される。
【００１９】
具体的には、この冊子６０は、複数ページの画像が面付けされて印刷された１枚の用紙に対して、用紙長手方向中心線に接着剤を塗布し、用紙長手方向に複数回折り曲げ、その後用紙長手方向に対して直行する方向に２つ折りし、折部を背として天地を断裁することにより複数枚葉構成の冊子として作成される。この冊子６０の作成方法の詳細については後述する。
【００２０】
なお、このような冊子作成方法では、用紙長手方向への折り曲げ回数に応じて作成される冊子のページ数が変化する。例えば、複数ページの画像が面付けされて印刷された１枚の用紙に対して、用紙長手方向中心線に接着剤を塗布し、用紙長手方向にｍ回折り曲げ、その後用紙長手方向に対して直行する方向に２つ折りし、折部を背として天地を断裁することにより２ｍ＋２枚葉構成の冊子が作成される。
【００２１】
例えば、複数ページの画像が面付けされて印刷された１枚の用紙に対して、用紙長手方向中心線に接着剤を塗布し、用紙長手方向に１回折り曲げ、その後用紙長手方向に対して直行する方向に２つ折りし、折部を背として天地を断裁することにより４枚葉構成の冊子が作成される。
【００２２】
以下に説明する本実施形態では、複数ページの画像が面付けされて印刷された１枚の用紙に対して、用紙長手方向中心線に接着剤を塗布し、用紙長手方向に２回折り曲げ、その後用紙長手方向に対して直行する方向に２つ折りし、折部を背として天地を断裁することにより作成される６枚葉（１２ページ）構成の中綴じ冊子を作成する場合を用いて説明する。
【００２３】
先ずは、６枚葉（１２ページ）構成の中綴じ冊子を作成する場合に用紙に印刷される印刷データのレイアウト構成を図２に示す。なお、この冊子には、表表紙（Ｈ１）、裏表紙（Ｈ４）が含まれるため、冊子の内容としては１０ページ（Ｐ１〜Ｐ１０）となっている。また、図２中の矢印は、各ページにおける画像の上下を示しており、Ｐ４〜Ｐ７の画像は、他のページとは上下反対に画像の割り付けが行われることを示している。また、この印刷データ中には、いわゆるトンボと呼ばれる記号が含まれており、断裁位置、折り位置等が分かるようになっている。
【００２４】
印刷装置１０では、このような構成の印刷データに基づき印刷が行われ、作成された印刷シートが冊子作成装置５０において加工されることにより冊子６０が作成される。
【００２５】
次に、本実施形態の冊子作成システムにより冊子を作成する際の処理を図３のフローチャートを参照して説明する。上記でも説明したように、以下の説明では、６枚葉（１２ページ）構成の冊子を作成する場合を用いて説明を行う。
【００２６】
先ずは、上記で説明したように、端末装置２０では、図２に示したように、冊子を構成する各ページの画像データの面付け配置を決定し割り付けを行う（ステップＳ１０１）。
【００２７】
次に、端末装置２０で作成された印刷データは印刷装置１０に送信され、印刷処理が行われ両面に各ページの画像が配置された印刷シート４０が作成される（ステップＳ１０２）。
【００２８】
そして、この印刷シート４０は、次に冊子作成装置５０において、図４に示すような断裁部分を断裁する小口断裁処理が行われる（ステップＳ１０３）。
【００２９】
この小口断裁処理では、用紙長手方向中心線に接着剤を塗布する前に、冊子となった際に小口となる端部を、冊子を構成する各葉毎に所定の長さαだけ順次長くなるように断裁する。
【００３０】
具体的には、本実施形態のように６枚葉構成の冊子を作成する場合には、用紙長手方向中心線に接着剤を塗布する前に、冊子の先頭葉となる領域（表表紙Ｈ１、第１ページＰ１）については、用紙長手方向中心線から用紙短手方向端部に向かって距離Ｌの位置よりも外側になる領域を断裁する。また、冊子の第２葉となる領域（第２ページＰ２、第３ページＰ３）については、用紙長手方向中心線から用紙短手方向端部に向かって距離Ｌ＋αの位置よりも外側になる領域を断裁し、冊子の第３葉となる領域（第４ページＰ４、第５ページＰ５）については、用紙長手方向中心線から用紙短手方向端部に向かって距離Ｌ＋２αの位置よりも外側になる領域を断裁する。
【００３１】
同様に、冊子の第４葉となる領域（第６ページＰ６、第７ページＰ７）については、用紙長手方向中心線から用紙短手方向端部に向かって距離Ｌ＋３αの位置よりも外側になる領域を断裁し、冊子の第５葉となる領域（第８ページＰ８、第９ページＰ９）については、用紙長手方向中心線から用紙短手方向端部に向かって距離Ｌ＋４αの位置よりも外側になる領域を断裁する。そして、冊子の第６葉となる領域（第１０ページＰ１０、裏表紙Ｈ４）については、用紙長手方向中心線から用紙短手方向端部に向かって距離Ｌ＋５αの位置よりも外側になる領域を断裁する。
【００３２】
このように断裁することにより、冊子となった際に小口となる端部が、各葉毎に所定の長さαだけ順次長くなるように断裁されて作成される。なお、図４に示した本実施形態では、Ｌ＝１４０ｍｍとし、α＝５ｍｍとした場合の具体例が示されている。
【００３３】
このような小口断裁処理後の印刷シート４０の状態を図５に示す。
【００３４】
次に、小口断裁処理が行われた後の印刷シート４０は、冊子作成装置５０において、図６に示すように用紙長手方向中心線の指定箇所に接着剤が塗布される（ステップＳ１０４）。
【００３５】
次に、接着剤が塗布された印刷シート４０に対して、折り加工処理が行われる（ステップＳ１０５）。
【００３６】
最初は、用紙長手方向に２回折り曲げる処理が行われる。具体的には、先ず、図６に示すように、Ｐ３（第３ページ）、Ｐ８（第８ページ）の画像をＰ４（第４ページ）、Ｐ７（第７ページ）の画像と合わせるような折り加工が行われる（１回目の巻き折り加工）。そして、図７に示すように、Ｐ２（第２ページ）、Ｐ９（第９ページ）の画像をＰ１（第１ページ）、Ｐ１０（第１０ページ）の画像と合わせるような折り加工が行われる（２回目の巻き折り加工）。つまり、いわゆる巻き３つ折り状態となる。
【００３７】
次に、用紙長手方向に対して直行する方向に２つ折りするような折り加工が行われる。具体的には、図８に示すように、Ｐ５（第５ページ）の画像をＰ６（第６ページ）の画像と合わせるような折り加工が行われる。
【００３８】
このようにして作成された加工中の状態の印刷シート４０を図９に示す。
【００３９】
次に、冊子加工装置５０では、図１０に示すように、２つ折りした際の折部を背として天地の二方を断裁することにより冊子が作成される。このようにして作成された冊子の外観を図１１に示す。
【００４０】
上記で説明したような作成方法により作成されることにより本実施形態の冊子は、図１１に示すように、表表紙（Ｈ１）、第１〜第１０ページ（Ｐ１〜Ｐ１０）、裏表紙（Ｈ４）が順番に綴じられた構成となっている。
【００４１】
そして、本実施形態における冊子では、各葉が表表紙（Ｈ１）から裏表紙（Ｈ４）に向かって後ろに綴じられる葉毎に順次５ｍｍずつ長くなるように断裁されているため、図１２に示すように段差形状（階段状）の見出しが小口部に構成される。
【００４２】
このように本実施形態によれば、小口部分に段差形状の見出し（インデックス）が形成された冊子を、１枚の印刷シートから簡単に、かつ見栄え良く作成することができる。そのため、複数毎の用紙から冊子を作成する場合と比較して、本来同一の冊子を構成するべきではない用紙が混入してしまい情報が漏洩してしまうようなセキュリティ上のリスクを回避することが可能となる。
【００４３】
なお、上記のＬおよびαの値を設定する場合、先頭ページに印刷しようとする画像データの幅をＬとして、用紙の中心から端部までの距離とＬとの差を、冊子を構成する葉の数である２ｍ＋２により除することよりαの長さを算出するようにしても良い。また、冊子の最終葉において、用紙の中心から端部までの距離よりもＬ＋（２ｍ＋１）αの値が短くなるようにＬおよびαの値を設定するようにしても良い。
【００４４】
次に、図１に示した冊子加工装置５０の構成を図１３を参照して説明する。冊子加工装置５０は、図１３に示されるように、第１の断裁部５１と、接着剤塗布部５２と、折曲部５３と、第２の断裁部５４から構成される。
【００４５】
第１の断裁部５１は、印刷装置１０により印刷された印刷シート４０を冊子に加工したときの小口となる端部を、図５に示すように、冊子の各葉毎に所定の長さαだけ順次長くなるように断裁する。第１の断裁部５１が断裁する領域の形状は、図４に示したような６枚葉の場合に限定されるものではなく、冊子の総枚葉数によって変わるものである。
【００４６】
接着剤塗布部５２は、第１の断裁部５１によって断裁された印刷シート４０の用紙長手方向中心線の所定の指定個所に接着剤を塗布する。図６のように、折曲部５３が最初に折り加工を行う部分は、折り込んだ先に接着剤が塗布されていれば接着することができるので、接着剤を塗布する必要はないが、接着剤を塗布する箇所はこのように限られる訳ではない。
【００４７】
折曲部５３は、接着剤塗布部５２により接着剤が塗布された印刷シート４０を、冊子の先頭葉となる部分とは逆の部分から、順次巻き折り加工を行い、巻き折り加工の終了後に、次いで用紙長手方向に対して直行する方向に２つ折りする２つ折り加工を行う。
【００４８】
第２の断裁部５４は、折曲部５３により、巻き折り加工と２つ折り加工が行われた後の印刷シート４０を、２つ折りされた折部を背として天地の２箇所を断裁する。
【００４９】
冊子作成装置５０では、このように断裁処理、接着剤塗布処理、折り処理（巻き折り加工、２つ折り加工）、断裁処理が行われることにより、印刷シート４０から冊子６０が生成される。
【００５０】
[変形例]
上記実施形態では、６枚葉（１２ページ）構成の冊子を作成する場合を用いて説明したが、本発明はこれに限定されるものではなく、８枚葉（１６ページ）構成等の冊子を作成する場合でも同様に本発明を適用することができるものである。
【００５１】
図１４には、８枚葉（１６ページ）構成の冊子を作成する際の各ページの画像の面付け配置のレイアウト構成を示す。つまり、図１４に示すように用紙長手方向に巻き折りする回数を変更することにより冊子を構成するページ数を変えることが可能である。
【００５２】
そして、図１４に示した８枚葉（１６ページ）構成の冊子では、用紙長手方向中心線に接着剤を塗布する前に、冊子の先頭葉となる領域については、用紙長手方向中心線から用紙短手方向端部に向かって距離Ｌの位置よりも外側になる領域を断裁する。そして、冊子の第２葉となる領域については、用紙長手方向中心線から用紙短手方向端部に向かって距離Ｌ＋αの位置よりも外側になる領域を断裁し、冊子の第３葉となる領域については、用紙長手方向中心線から用紙短手方向端部に向かって距離Ｌ＋２αの位置よりも外側になる領域を断裁する。同様に、冊子の第４葉となる領域については、用紙長手方向中心線から用紙短手方向端部に向かって距離Ｌ＋３αの位置よりも外側になる領域を断裁する。そして、冊子の第５葉となる領域については、用紙長手方向中心線から用紙短手方向端部に向かって距離Ｌ＋４αの位置よりも外側になる領域を断裁し、冊子の第６葉となる領域については、用紙長手方向中心線から用紙短手方向端部に向かって距離Ｌ＋５αの位置よりも外側になる領域を断裁する。このような断裁処理が行われることにより、冊子となった際に小口となる端部が、各葉毎に所定の長さαだけ順次長くなるように断裁されて作成される。
【符号の説明】
【００５３】
１０    印刷装置
２０    端末装置
３０    ネットワーク
４０    印刷シート
５０    冊子作成装置
５１    第１の断裁部
５２    接着剤塗布部
５３    折曲部
５４    第２の断裁部
６０    冊子
【図１】
0005610242.tif 000002
【図２】
0005610242.tif 000003
【図３】
0005610242.tif 000004
【図４】
0005610242.tif 000005
【図５】
0005610242.tif 000006
【図６】
0005610242.tif 000007
【図７】
0005610242.tif 000008
【図８】
0005610242.tif 000009
【図９】
0005610242.tif 000010
【図１０】
0005610242.tif 000011
【図１１】
0005610242.tif 000012
【図１２】
0005610242.tif 000013
【図１３】
0005610242.tif 000014
【図１４】
0005610242.tif 000015